(57)【要約】【課題】外箱の内部でバケットを確実に所定の位置に固定でき、花卉を保護できる花卉輸送用のバケット固定材を提供する。【解決手段】バケット固定材１において、バケット挿入穴４を備えた基板５の両側に立上板６を介して脚板７ａ，７ｂを連設し、基板５の後端に背板８を連設すると共に、背板８の両側に側板９を連設し、各側板９に係合穴１０を設けておき、外箱２へ収納する際、基板５から立上板６を起立させ、脚板７ａ，７ｂを下方へ折り曲げて立上板６の外側に折り重ね、基板５から背板８を起立させ、側板９を前方へ折り曲げ、花卉を挿したテーパー状のバケット３を小径側からバケット挿入穴４に挿入して、係合穴１０にバケット３の大径端部を嵌合させ、外箱２の内側板１１に形成された切欠部１２の端縁に狭幅の脚板７ａを係合させるようにする。【選択図】図１
2005313929.tif 000002
【特許請求の範囲】
【請求項１】
バケット挿入穴を備えた基板に脚板を連設し、脚板を下方へ折り曲げて、外箱の底部に収納し、花卉を挿したテーパー状のバケットを小径側からバケット挿入穴に挿入して、外箱の内部でバケットを保持する花卉輸送用のバケット固定材において、前記基板の端縁に背板を連設すると共に、背板の側縁に側板を連設し、側板に係合穴を設けておき、外箱への収納に際し、基板から背板を起立させ、側板をバケットの側方へ折り曲げ、係合穴にバケットの大径端部を嵌合させて、バケットを固定するようにしたことを特徴とする花卉輸送用のバケット固定材。
【請求項２】
前記基板と脚板の間に立上板を介在させ、少なくとも一方の脚板の幅を外箱の奥行よりも狭くしておき、基板から立上板を起立させ、その外側に脚板を折り重ねて、外箱へ収納したとき、外箱の内側板に形成された切欠部の端縁に、狭幅の脚板が係合するようにしたことを特徴とする請求項１に記載の花卉輸送用のバケット固定材。
【発明の詳細な説明】
【技術分野】
【０００１】
この発明は、花卉をバケットの水や土に挿したまま輸送する際に使用するバケット固定材に関するものである。
【背景技術】
【０００２】
従来、図５に示すように、花卉をバケット５０の水や土に挿したまま鮮度を保ちつつ輸送するため、外箱５１の底部にバケット固定材５２を収納して、外箱５１の内部でバケット５０を保持することが考えられている。
【０００３】
このバケット固定材５２は、バケット挿入穴５３を備えた基板５４の各辺に脚板５５を連設し、外箱５１に収納する際、各脚板５５を下方へ折り曲げ、バケット５０をバケット挿入穴５３に挿入して保持するものである（下記特許文献１参照）。
【特許文献１】実公平４−３９１３２号公報（第５図）
【発明の開示】
【発明が解決しようとする課題】
【０００４】
しかしながら、上記のようなバケット固定材では、輸送中に大きな振動や衝撃が作用すると、バケットが上下に飛び跳ねることがあり、また、外箱を横倒しにされると、バケットだけでなく、バケット固定材自体が外箱に対して移動することがあるため、花卉が外箱の内面に衝突して傷む恐れがあった。
【０００５】
そこで、この発明は、外箱内でバケットを確実に所定の位置に固定でき、花卉を保護できる花卉輸送用のバケット固定材を提供することを課題とする。
【課題を解決するための手段】
【０００６】
上記課題を解決するため、この発明は、バケット挿入穴を備えた基板に脚板を連設し、脚板を下方へ折り曲げて、外箱の底部に収納し、花卉を挿したテーパー状のバケットを小径側からバケット挿入穴に挿入して、外箱の内部でバケットを保持する花卉輸送用のバケット固定材において、前記基板の端縁に背板を連設すると共に、背板の側縁に側板を連設し、側板に係合穴を設けておき、外箱への収納に際し、基板から背板を起立させ、側板をバケットの側方へ折り曲げ、係合穴にバケットの大径端部を嵌合させて、バケットを固定するようにしたのである。
【０００７】
また、前記基板と脚板の間に立上板を介在させ、少なくとも一方の脚板の幅を外箱の奥行よりも狭くしておき、基板から立上板を起立させ、その外側に脚板を折り重ねて、外箱へ収納したとき、外箱の内側板に形成された切欠部の端縁に、狭幅の脚板が係合するようにしたのである。
【発明の効果】
【０００８】
上記のように、バケット固定材の側板に設けた係合穴にバケットの大径端部を嵌合させると、バケットがバケット固定材に一体的に固定されるので、輸送中に大きな振動や衝撃が作用したり、横倒しにされたりしても、バケットがバケット固定材から外れることがなく、確実に保持される。
【０００９】
また、バケット固定材の脚板と外箱の内側板とを係合させると、バケット固定材の外箱に対する移動が阻止されるので、バケット固定材が外箱に対して確実に所定の位置に固定され、花卉と外箱の衝突が防止されて、花卉が保護される。
【発明を実施するための最良の形態】
【００１０】
以下、この発明の実施形態を添付図面に基づいて説明する。
【００１１】
図１に示すように、この花卉輸送用のバケット固定材１は、外箱２の底部に収納され、花卉を挿したテーパ状のバケット３を外箱２の内部で保持するものであり、段ボールシートを材料として形成される。
【００１２】
このバケット固定材１のブランクでは、図２に示すように、バケット挿入穴４を有する基板５の一側に立上板６及び脚板７ａが、他側に立上板６及び脚板７ｂがそれぞれ順次連設され、脚板７ａは前端が切り欠かれて、脚板７ｂよりも幅が狭くなっている。
【００１３】
基板５と各立上板６の境界は、両端部が罫線を介して繋がり、中間部がコ字状の切目で切断されている。立上板６と脚板７ａ，７ｂの境界は、裏面側のライナのみ残して切断した半切罫線とされている。
【００１４】
基板５の後端には、基板５よりやや幅が狭い背板８が連設され、背板８の両側には側板９が連設されている。背板８と側板９の境界は、両端部が罫線を介して繋がり、中間部がコ字状の切目で切断されている。各側板９の上部には、逆台形状の係合穴１０がそれぞれ形成され、各側板９の下角部は、立上板６の高さに対応して切り欠かれている。
【００１５】
上記のようなブランクから成るバケット固定材１を外箱２に収納する際には、図３に示すように、基板５から立上板６を起立させ、脚板７ａ，７ｂを下方へ折り曲げると共に、基板５から背板８を起立させ、側板９を前方へ折り曲げた状態とする。
【００１６】
ここで、外箱２の一方の側壁の内面には内側板１１が重ねられ、この内側板１１の下部には切欠部１２が形成されており、外箱２にバケット固定材１を収納すると、図１に示すように、切欠部１２の端縁に狭幅の脚板７ａが係合し、両側板９は、反発により前方がやや外側へ開いた状態となる。
【００１７】
そして、花卉を挿したバケット３を小径側からバケット挿入穴４に挿入し、バケット３の大径部を係合穴１０に嵌合させると、バケット３がバケット固定材１に一体的に固定されると共に、バケット固定材１の外箱２に対する移動が阻止される。
【００１８】
このため、輸送中に大きな振動や衝撃が作用したり、図４に示すように、外箱２が横倒しにされたりしても、バケット３がバケット固定材１から外れることがなく、また、バケット固定材１が外箱２に対して確実に所定の位置に固定されるので、花卉と外箱２の衝突が防止され、花卉を傷めることなく輸送することができる。
【００１９】
なお、バケット３の大径部には、花卉の茎を挿入する部分のみ開口したキャップが嵌められているので、横倒しにされても、バケット３に入れた水がこぼれることがなく、花卉は茎が水に浸った状態で輸送され、花卉の鮮度の低下が防止される。
【００２０】
ところで、上記実施形態では、バケット３として、耐水処理した紙を丸めてコップ状にしたものを示したが、バケット３は、角型のプラスチック成形品等であっても、バケット固定材１により固定することができる。
【図面の簡単な説明】
【００２１】
【図１】この発明に係るバケット固定材による花卉梱包状態を示す斜視図
【図２】同上のバケット固定材のブランクを示す図
【図３】同上のバケット固定材の外箱への収納過程を示す斜視図
【図４】同上の外箱の横倒状態を示す斜視図
【図５】従来のバケット固定材による梱包状態を示す斜視図
【符号の説明】
【００２２】
１  バケット固定材
２  外箱
３  バケット
４  バケット挿入穴
５  基板
６  立上板
７ａ，７ｂ  脚板
８  背板
９  側板
１０  係合穴
１１  内側板
１２  切欠部
【図１】
2005313929.tif 000003
【図２】
2005313929.tif 000004
【図３】
2005313929.tif 000005
【図４】
2005313929.tif 000006
【図５】
2005313929.tif 000007